(57)【要約】【課題】現在火災現場で使用されている消火用の水圧では放水距離が限られている。消火活動する作業者が火元に近づけば身の危険があり、離れると消火が思うようにできない。消火活動する作業者が火元との距離の範囲が限られてスムーズに消火活動が出来ない、水の力と風の力を組み合わせることで前述の問題点を解決しようとするものである。【解決の手段】  本考案の風力火災消火装置はノズルから放水される水と風の力を組合す事で放水される水の放物線状の角度と霧状になるのを抑え、追い風にした風で包むようにすることで放水距離を延す事が出来鎮火を早めるよう上記の問題点を解決することができる。【選択図】図１
2014193245.tif 000002
【特許請求の範囲】
【請求項１】
送水用筒先の先端に設けられたノズルチップの軸心と同一に軸心を有する円筒内に前記ノズルチップを収納するとともに、前記ノズルチップの周囲にエアー吹き出し口を配設し、前記エアー吹き出し口から吹き出すエアーをエアー発生手段で発生し、前記エアー発生手段で発生したエアーを送風手段を介して前記エアー吹き出し口から吹き出すようにしたことを特徴とする風力火災消火装置。
【請求項２】
前記エアー吹き出し口は、前記ノズルチップに対し、少なくとも下側に設けられていることを特徴とする請求項１に記載の風力火災消火装置。
【請求項３】
前記エアー吹き出し口は、ノズルチップ３の軸心Ｐ及び円筒４の軸心Ｐに対し渦巻き状に円筒４の内面に取り付けられていることを特徴とする請求項１に記載の風力火災消火装置。
【発明の詳細な説明】
【技術分野】
【０００１】
本発明は風力火災消火装置に関するものである。
【背景技術】
【０００２】
現在、火災時においては放水の距離に限界がある。現在の消防用の放水距離は福島原子力発電所の冷却時のように建屋が高い場合に必要とする放水をする事が出来ないことが事実であった。火災となると必要とする放水する高さや距離が満たされない場合、消火活動に支障をきたす場合がある。それによって消火する作業者が近くに寄る事が困難になれば消火活動に大きな支障をきたすという問題点があった。
【先行技術文献】
【特許文献】
【０００３】
【特許文献１】特開２００８−２１２６３６号公報
【発明の概要】
【発明が解決しようとする課題】
【０００４】
この発明は、現代使用されている水圧のままでは放水距離が限られていて、消火活動をする作業者が近づけば身の危険があり、離れると消火が思うようにできない。火元に近づける範囲が狭まれてスムーズ消火活動に支障があった。放水距離を伸ばせるように工夫することで火元に放水された水が多く届くようにし、火災の早い鎮火や消火する作業者の身の安全と人々の財産を守ることができるようにすることで、前述の問題点を解決しょうとするものである。
【課題を解決するための手段】
【０００５】
本発明の風力火災消火装置は、送水用筒先の先端に設けられたノズルチップの軸心と同一の軸心を有する円筒内に前記ノズルチップを収納するとともに、前記ノズルチップの周囲にエアー吹き出し口を配設し、前記エアー吹き出し口から吹き出すエアーをエアー発生手段で発生し、前記エアー発生手段で発生したエアーを送風手段を介して前記エアー吹き出し口から吹き出すようにしたことを特徴とする。
【発明の効果】
【０００６】
本発明の風力火災消火装置は、送水用筒先の先端に設けられたノズルチップの軸心と同一の軸心を有する円筒内に前記ノズルチップを収納するとともに、前記ノズルチップの周囲にエアー吹き出し口を配設し、前記エアー吹き出し口から吹き出すエアーをエアー発生手段で発生し、前記エアー発生手段で発生したエアーを送風手段を介して前記エアー吹き出し口から吹き出すようにしたことを特徴とするものであるから、消火用の放水された直線状の放水にあっては、その周りに直線状のフォローの風で覆い二つ組合されたもので相乗効果を生み出し放物線状の角度を少なくし、消火用の放水された渦巻状の放水にあっては、その周りに回転を加えた竜巻状のフォローの風で覆い二つ組合されたもので相乗効果を生み出し、放物線状の角度を少なくし先端部分で拡散され霧状になっていたものを少しでも抑える効果と従来の放水距離を伸ばすことが可能となり鎮火を早める事が出来消火活動する作業者や火災現場の人命や人々の財産を少しでも多く守ることが可能となる。ノズルから放水される水に回転が加えられるようにする事で拡散される水を抑えることが出来さらに放水距離を伸ばす事が出来るという効果がある。
【図面の簡単な説明】
【０００７】
【図１】図１は風力火災消火装置の正面図。
【図２】図２は風力火災消火装置の第１の実施例におけるノズルチップの先端から要部側面図。
【図３】図３は風力火災消火装置の第２の実施例におけるノズルチップの
【発明を実施するための形態】
【０００８】
以下、本発明の第１の実施例を図１乃至図２に基づいて説明する。
【０００９】
風力火災消火装置１は、送水用筒先２の先端に設けられたノズルチップ３の軸心と同一の軸心を有する円筒４内にノズルチップ３を収納するとともに、ノズルチップ３の周囲にエアー吹き出し口５を配設し、エアー吹き出し口５から吹き出すエアーをエアー発生手段６で発生し、エアー発生手段６で発生したエアーを送風手段７を介してエアー吹き出し口５から吹き出すようにしている。エアー発生手段６は、１秒間に約２６０リットルの風を発生させるものである。
【００１０】
送水用筒先２の先端に設けられたノズルチップ３の先端からは、送水用筒先２の内部形状及びノズルチップ３の内部形状により、直線状の水又は回転を付けた渦巻状の水が放水されるようになっている。（回転を付けた渦巻状の水の放水については、本件実用新案考案者が出願した特願２０１３−３２０４２号参照）
【００１１】
ノズルチップ３を収納する円筒４は、軽量化を図るために合成樹脂又はアルミニウムで形成されており、ノズルチップ３の軸心Ｐと円筒４の軸心Ｐとが同軸になるように、ノズルチップ３の外周に円筒４の内周が嵌合されている。
【００１２】
ノズルチップ３の周囲に複数個のエアー吹き出し口５が配設されている。エアー吹き出し口５の夫々には、送風手段７となる送風用パイプが連結されている。エアー吹き出し口５は、ノズルチップ３の軸心Ｐ及び円筒４の軸心Ｐと同軸になるように円筒４の内面に取り付けられている。エアー吹き出し口５から放出される風はストレートの線条を描き放出される。エアー吹き出し口５は、ノズルチップ３に対し、上下に２箇所設けているが、少なくとも下側に設ければよいものであり、送水用筒先２に設けられた取手を把持して放水することで、エアー吹き出し口５の位置が決まるものである。
【００１３】
送風手段７は、吸気口８を備えたエアー発生手段６に連結されており、エアー発生手段６の出力を調整することで、エアーの発生量を可変にすることができ、放水距離を調整することができる。
【００１４】
次に、本発明の第２の実施例を図３に基づいて説明する。
ノズルチップ３の周囲に複数個のエアー吹き出し口１５が配設されている。エアー吹き出し口１５の夫々には、送風手段７となる送風用パイプが連結されている。エアー吹き出し口１５は、ノズルチップ３の軸心Ｐ及び円筒４の軸心Ｐに対し渦巻き状に円筒４の内面に２箇所取り付けられている。エアー吹き出し口１５から放出される風はスパイラル状の線条Kを描き放出される。
【００１５】
本発明はノズルから放水されるストレートの水、又は回転を付けた渦巻状の水の周りを直線状の風又は竜巻状にした風の力とを組み合せたもので、放水された水は方物線描き火元に届く、風はストレートの線条を描き放水された水と送風された風は先端では２方向に分かれ火元には酸素を送ることは無い。送風する風は力あるものを送風機から発生させ、ノズルチップの側面の部分で２方向から円筒内部に送り込む直線状の風と、斜めに円筒に沿うような角度に送り込むと回転が起きる状態を作ることで竜巻状の風を発生させ放水された水を遠くに運ぶことが可能となる。
【００１６】
本発明は放水用のノズルから放水される直進性の水又は渦巻状の水を包むように、直進性の追い風又は回転を加えた竜巻状の強い風力で覆うことで放水される水が放物線を描きながら扇状に広がっていく角度を小さくする事で、拡散されて霧状になるのを抑えるようにし、追い風の風に乗せて火元までの距離を延ばし、消火を早める事が出来る様に工夫されたものである。
【符号の説明】
【００１７】
１  風力火災消火装置
２  送水用筒先
３  ノズルチップ
４  円筒
５  エアー吹き出し口
6     
エアー発生手段
7     
送風手段
【図１】
2014193245.tif 000003
【図２】
2014193245.tif 000004
【図３】
2014193245.tif 000005